(57)【特許請求の範囲】
【請求項１】
カラオケ曲をリクエスト可能な特定会員の会員情報が記憶された会員情報記憶手段と、
前記特定会員からカラオケ曲のリクエストを受付けるリクエスト受付手段と、
少なくとも前記リクエスト受付手段が受付けたカラオケ曲の歌詞を所定の通信回線を通じて映像データとして送信する送信手段とを備えたカラオケリクエストシステムにおいて、
前記リクエスト受付手段が受付けた特定会員の会員情報を記憶するリクエスト会員情報記憶手段と、
このリクエスト会員情報記憶手段に記憶された特定会員の中から所定の選出条件を満たした当選会員を抽選する抽選手段とを備え、
前記抽選手段は、選出条件としてリクエストを受付けた日付が設定可能に設けられ、選出条件が設定されていない場合は、前記リクエスト会員情報記憶手段に記憶されている全ての特定会員の中から当選会員を抽選すると共に、選出条件が設定された場合は、前記リクエスト会員情報記憶手段に記憶されている全ての特定会員の中から当該選出条件を満たしたリクエスト情報に対応する特定会員からなる抽選対象会員ファイルを作成し、当該抽選対象会員ファイルの中から同一の特定会員が２度目の当選となることを無効化しながら当選会員を当選者限度数となるまで繰返して抽選することにより抽選対象会員ファイルを作成することを特徴とする懸賞付きカラオケリクエストシステム。
【請求項２】
前記通信回線を通じて当選会員に当選したことを自動報知する当選報知手段を備えたことを特徴とする請求項１記載の懸賞付きカラオケリクエストシステム。
【請求項３】
前記送信手段により通信回線を通じて当選会員に当選したことを映像で報知する映像報知手段を備えたことを特徴とする請求項２記載の懸賞付きカラオケリクエストシステム。
【請求項４】
前記通信回線はＣＡＴＶ回線であることを特徴とする請求項１乃至３の何れかに記載の懸賞付きカラオケリクエストシステム。
【発明の詳細な説明】
【０００１】
【発明の属する技術分野】
本発明は、特定会員からリクエストされたカラオケ曲の歌詞を映像として通信回線を通じて送信すると共に、リクエストした特定会員の中から懸賞の当選者を選択する機能を付加した懸賞付きカラオケリクエストシステムに関する。
【０００２】
【従来の技術】
従来より、視聴者から電話でリクエストされたカラオケ曲をＣＡＴＶ回線網を通じて放送するカラオケリクエストシステムが提供されている。つまり、ＣＡＴＶ放送センターは、ＣＡＴＶ放送の加入者のうちカラオケ曲のリクエストを希望する者を特定会員として予め登録しておき、特定会員からの電話でカラオケ曲がリクエストされたときは、そのリクエストを自動的に受付けると共に、リクエストした特定会員の会員ＩＤ、カラオケ曲番号等のリクエスト情報を記憶してから、ＣＡＴＶ回線網を通じてカラオケ放送用のチャンネルでカラオケ曲の歌詞の映像を放送するものである。
【０００３】
従って、カラオケ曲をリクエストした特定会員は、ＣＡＴＶのチャンネルをカラオケ放送用のチャンネルに設定することにより、カラオケを楽しむことができる。
尚、記憶したリクエスト情報は、ＣＡＴＶ事業者が、特定会員に対してリクエスト料金を徴収する際に利用される。
【０００４】
【発明が解決しようとする課題】
しかしながら、現在のカラオケリクエストシステムは、視聴者から電話でリクエストされたカラオケ曲をＣＡＴＶ回線網を利用して単に放送するだけであるので、リクエスト受付及び登録会員への課金のために必要な機能しか備えていない。このため、現在のＣＡＴＶを通じたカラオケは娯楽性の面で魅力が乏しく、ＣＡＴＶ事業者にとっては加入者の増大を図ることが困難となりつつあるのが実情である。
【０００５】
本発明は上記事情に鑑みてなされたものであり、その目的は、娯楽性を高めて加入者及びリクエスト会員の増大を図ることができ、さらにはリクエストの促進日を任意に設定できると共に、当選者を予め定めた限度数まで重複することなく確実に抽選することができる懸賞付きカラオケリクエストシステムを提供することにある。
【０００６】
【課題を解決するための手段】
本発明は、カラオケ曲をリクエスト可能な特定会員の会員情報が記憶された会員情報記憶手段と、前記特定会員からカラオケ曲のリクエストを受付けるリクエスト受付手段と、少なくとも前記リクエスト受付手段が受付けたカラオケ曲の歌詞を所定の通信回線を通じて映像データとして送信する送信手段とを備えたカラオケリクエストシステムにおいて、前記リクエスト受付手段が受付けた特定会員の会員情報を記憶するリクエスト会員情報記憶手段を設け、このリクエスト会員情報記憶手段に記憶された特定会員の中から所定の選出条件を満たした当選会員を抽選する抽選手段を設けた上で、前記抽選手段は、選出条件としてリクエストを受付けた日付が設定可能に設けられ、選出条件が設定されていない場合は、前記リクエスト会員情報記憶手段に記憶されている全ての特定会員の中から当選会員を抽選すると共に、選出条件が設定された場合は、前記リクエスト会員情報記憶手段に記憶されている全ての特定会員の中から当該選出条件を満たしたリクエスト情報に対応する特定会員からなる抽選対象会員ファイルを作成し、当該抽選対象会員ファイルの中から同一の特定会員が２度目の当選となることを無効化しながら当選会員を当選者限度数となるまで繰返して抽選することにより抽選対象会員ファイルを作成するものである（請求項１）。
【０００７】
このような構成によれば、カラオケ曲をリクエスト可能な特定会員がカラオケ曲をリクエストすると、リクエスト受付手段は、カラオケ曲のリクエストを受付ける。そして、送信手段はリクエスト受付手段が受付けたカラオケ曲の歌詞を所定の通信回線を通じて映像データとして送信するので、特定会員は、カラオケ曲を視聴することによりカラオケを楽しむことができる。
【０００８】
ここで、リクエスト会員情報記憶手段はリクエスト受付手段が受付けた特定会員の会員情報を記憶している。そして、抽選手段は、例えばオペレータの指示によりリクエスト会員情報記憶手段が記憶した特定会員の中から所定の選出条件を満たした当選会員を抽選するので、システムの娯楽性を高めることができる。
【０００９】
【００１０】
この場合、特定会員がリクエストした日付を選出条件の要素とすることができるので、リクエストの促進日を任意に設定することができる。
【００１１】
また、オペレータが選出条件を設定しないときは、全ての特定会員を抽選対象とすることができるので、全ての特定会員を抽選対象として任意に設定することができる。
【００１２】
また、前記通信回線を通じて当選会員に当選したことを自動報知する当選報知手段を設けるようにしてもよい（請求項２）。
このような構成によれば、通信回線を通じて当選会員に当選したことが自動報知されるので、オペレータは、特別な操作を行うことなく当選会員に当選したことを報知することができる。
【００１３】
また、前記送信手段により通信回線を通じて当選会員に当選したことを映像で報知する映像報知手段を設けるようにしてもよい（請求項３）。
このような構成によれば、通信回線を通じて当選会員に当選したことが映像で報知されるので、通信回線による放送の視聴者にも当選会員を報知することができる。
【００１４】
また、前記通信回線をＣＡＴＶ回線としてもよい（請求項４）。
このような構成によれば、既存のＣＡＴＶ回線を使用することにより、コストを大幅に低減することができる。
【００１５】
【発明の実施の形態】
以下、本発明をＣＡＴＶカラオケリクエストシステムに適用した一実施例を図面を参照して説明する。
図２はＣＡＴＶを利用したカラオケリクエストシステムの全体を概略的に示している。この図２において、ＣＡＴＶ放送センターはＣＡＴＶ回線網１を通じてＣＡＴＶ加入者宅に数十チャンネルのテレビ放送を送信しており、ＣＡＴＶ加入者宅では専用の受信機２を通じてテレビ３によりＣＡＴＶ放送を視聴することができるようになっている。
【００１６】
ここで、ＣＡＴＶ放送の数十チャンネルの放送チャンネルのうち数チャンネルはカラオケ放送用に設定されており、ＣＡＴＶ加入者宅ではテレビ３のチャンネルを指定されたチャンネルに設定することよりカラオケ放送を視聴することができる。
【００１７】
つまり、ＣＡＴＶ放送センターは、カラオケ装置４と、このカラオケ装置４に対してリモコン信号で曲演奏の制御を行うためのカラオケ放送制御装置５（本発明の送信手段に相当）とを備えており、カラオケ装置４からの出力映像及び出力音声を変調器６により放送信号に変換することによりＣＡＴＶ回線網１を通じてＣＡＴＶ加入者の受信機２にカラオケ放送を送信するようになっている。従って、ＣＡＴＶ加入者は、受信機２が接続されたテレビ３でＣＡＴＶ業者が割当てた指定のチャンネルによりカラオケ放送を視聴することができる。
【００１８】
この場合、ＣＡＴＶ加入者のうち予め会員として登録された加入者（登録会員）は、カラオケ放送されるカラオケ曲を有料でリクエストすることができ、そのための設備として、ＣＡＴＶ放送センターには、リクエストされたカラオケ曲情報及びリクエストしたＣＡＴＶ加入者の情報を管理してカラオケ放送制御装置５にそれらの情報を通知するためのリクエスト受付装置７と、ＣＡＴＶ加入者の電話機８からの電話を公衆電話回線９を通じて自動着信したときは音声によるガイダンスを行う音声応答装置１０とが備えられている。
【００１９】
図１はリクエスト受付装置７の構成を概略的に示している。この図１において、リクエスト受付装置７は、ＣＰＵ１１を主体とする制御装置１２（本発明のリクエスト受付手段、抽選手段、当選報知手段、映像報知手段に相当）と、ハードディスク装置１３（本発明の会員情報記憶手段、リクエスト会員情報記憶手段に相当）とから構成されており、そのハードディスク装置１３に後述するように会員管理ＤＢファイル、リクエスト受付情報ファイル、抽選対象会員データファイル、当選会員データファイルを作成するようになっている。
【００２０】
この場合、会員管理ＤＢファイルはＣＡＴＶ加入者のうちカラオケ放送のリクエストをすることができる登録会員が予め登録されているものであり、図３に示すようにヘッダ情報としての登録会員数データに続いて、会員情報が順に記憶されている。この会員情報は、加入順番を示す連番、会員ＩＤ、パスワード、会員名、住所、電話番号等の会員情報から構成されている。
【００２１】
また、リクエスト受付情報ファイルは後述するように登録会員がカラオケ曲をリクエストする毎に１レコード分追加されて作成されるようになっており、図４に示すようにリクエストを受付けた日時、リクエストした特定会員の会員ＩＤ、曲番号で構成されている。
【００２２】
また、抽選対象ファイルは後述するように抽選対象者選出処理が行われる度に新規に作成されようになっており、図５に示すように会員ＩＤ、会員名、住所、電話番号等で構成されている。
【００２３】
そして、当選会員データファイルは後述するように当選者選出処理が行われる度に新規に作成されるようになっており、図６に示すように抽選対象ファイルのフォーマットと同一のフォーマットとなっている。この当選会員データファイルに記録された会員が当選者であり、このデータ中の電話番号データで当選者へ電話を行うことにより音声応答で当選した旨の通知を行うことができる。
尚、ハードディスク装置１３には、図示はしないが抽選対象者の条件データが記憶されている。
【００２４】
次に上記構成の作用について説明する。
図７はリクエスト受付装置７及び音声応答装置１０によるリクエスト受付処理の動作を示すフローチャートである。
即ち、登録会員がカラオケ曲をリクエストしたときは、電話機８から音声応答装置１０へ電話機８の電話番号が発信される。すると、音声応答装置１０は電話を自動着信し、制御装置１２は、音声応答装置１０に電話した登録会員に割当てられている会員ＩＤのダイアルを促す音声応答を公衆電話回線９を介して電話機８へ行わせ（Ｓ１０１）、その後、会員から電話機８よりダイアルされた会員ＩＤを取得し（Ｓ１０２）、該会員ＩＤがハードディスク１３内の会員管理ＤＢファイルに登録されているか否かをチェックする（Ｓ１０３）。
【００２５】
会員ＩＤの登録チェックの結果、電話により入力した会員ＩＤは登録されていないと判定した場合は（Ｓ１０４：ＮＯ）、制御装置１２は、音声応答装置１０にダイアルした会員ＩＤが未登録である旨を音声応答させ（Ｓ１１３）、リクエストの受付を無効とする。
【００２６】
また、ダイヤルされた会員ＩＤが登録されていると判定した場合は（Ｓ１０４：ＹＥＳ）、カラオケ曲番号のダイアルを促す音声応答を行わせ（Ｓ１０５）、会員によりダイアルされたカラオケ曲番号を取得し（Ｓ１０６）、リクエストを受付けた旨を音声応答装置１０により音声応答させる（Ｓ１０７）。
以上の動作により、カラオケ曲をリクエストした会員は、リクエストが受付けられたことを確認することができる。
【００２７】
続いて、リクエスト受付装置７の制御装置１２は、上述のようにしてリクエストを受付たときは図４に示すリクエスト受付情報ファイルに新規のファイルを作成する。つまり、現在のシステム日時を図示しないタイマから取得し（Ｓ１０８）、リクエスト受付情報ワークのリクエスト日時データに該取得したシステム日時データをセットし（Ｓ１０９）、リクエスト受付情報ワークのリクエスト会員ＩＤデータに会員からダイアルされた会員ＩＤをセットし（Ｓ１１０）、リクエスト受付情報ワークのリクエスト曲番号データに会員からダイアルされた曲番号をセットしてから（Ｓ１１１）、リクエスト受付情報ファイルに上述したように作成されたリクエスト受付情報ワークを１レコードとして新規に追加する（Ｓ１１２）。
以上の動作により、特定会員がカラオケ曲をリクエストする毎に、そのリクエスト情報がリクエスト受付情報ファイルに１レコード分毎追加される。
【００２８】
さて、リクエスト受付装置７は、上述のようにしてカラオケ曲のリクエストを受付けたときは、受付けたカラオケ曲の曲番号をカラオケ放送制御装置５に通知する。
すると、カラオケ放送制御装置５はカラオケ装置４に対してリクエストされたカラオケ曲の曲演奏を放送するようにリモート信号で指示するので、カラオケ装置４は、カラオケの映像及び音声を変調器６により放送信号に変換してＣＡＴＶ回線網１を通じて送信する。これにより、全てのＣＡＴＶ加入者宅にリクエストされたカラオケ曲が放送されるので、リクエストしたＣＡＴＶ加入者はカラオケ曲を視聴することによりカラオケを楽しむことができる。
【００２９】
ところで、上述したカラオケリクエストシステムは、特定会員からカラオケ曲があったときに、リクエストされたカラオケ曲をＣＡＴＶ回線網１を通じて放送するだけであるので、娯楽性が乏しく、ＣＡＴＶ事業者にとっては加入者の増大を図ることが困難となりつつある。
【００３０】
そこで、本実施例では、リクエストした会員の中から抽選で当選者を選出し、その当選者に懸賞（ＣＤ、旅行券、商品券等）を与えることにより、娯楽性を高めるようにしており、そのための手段としてリクエスト受付装置７に自動抽選処理及び当選の自動報知の機能を付加するようにした。尚、自動抽選処理はオペレータにより任意に起動されると共に、自動報知は自動抽選処理の終了により自動的に起動するようになっている。
【００３１】
図８はリクエスト受付装置７の自動抽選処理のフローチャートを示している。この図８において、リクエスト受付装置７の制御装置１２は、予めＣＡＴＶオペレータにより設定された抽選処理有無の設定を取得し（Ｓ２０１）、抽選処理ありと設定されているかどうかを判定する（Ｓ２０２）。このとき、抽選処理ありと判定した場合は（Ｓ２０２：ＹＥＳ）、設定された抽選対象者の条件データをハードディスク装置１３から取得してから（Ｓ２０３）、抽選対象者の条件にあった登録会員を抽選対象者選出処理により選出する（Ｓ２０４）。この抽選対象者選出処理は後述するように行われるものであり、そこでは、図５に示した抽選対象会員データファイルが作成される。
【００３２】
ここで、抽選対象選出処理により選出した抽選対象者数が０、つまり抽選の対象者が１名もいない場合は（Ｓ２０５：ＹＥＳ）、当選者の選出処理を行うことはない。このような場合は、登録会員に対して抽選対象者がいなかった旨をカラオケ放送制御装置５がテレビ画面３に表示させることにより登録会員に通知するように制御することが望ましい。
【００３３】
また、抽選対象選出処理により選出された抽選対象者数が０でない場合は（Ｓ２０５：ＮＯ）、当選者選出処理を行う（Ｓ２０６）。この当選者選出処理は後述するように行われるものであり、そこでは、図６に示す当選会員データファイルが作成される。
【００３４】
続いて、当選者への電話通知処理を実行する（Ｓ２０７）。つまり、ハードディスク１３内の当選者データファイルに記録された会員の電話番号を取得し、その電話番号に基づいて公衆電話回線９を接続し、予め記憶している音声データを音声応答装置１０にて再生させることにより当選者の電話機８へ当選した旨を通知する。
【００３５】
また、図１１に示すように当選会員データファイルの当選者データを編集することによりＣＡＴＶ放送する画面を作成し（Ｓ２０８）、作成された当選者情報の画面を任意の時間にテレビ３へ放送する（Ｓ２０９）。この放送時間は、例えば番組と番組との間の何もカラオケ曲を放送していない時間等が望ましい。
【００３６】
以上の動作により、抽選により当選した会員には当選したことが電話で音声により通知されるので、当選したことを確実に知ることができると共に、ＣＡＴＶによりテレビ３に表示されるので、ＣＡＴＶ視聴者に当選会員を報知することができる。
【００３７】
さて、図９は、上述した自動抽選処理における抽選対象者選出処理の動作を具体的に示している。この図９において、リクエスト受付装置７の制御装置１２は、自動抽選処理の抽選対象者を判定するときに使用する対象者数のカウンタをクリアしてから（Ｓ３０１）、日付に関する選出条件があるかを判定する（Ｓ３０２）。この場合、カウンタをハードディスク装置１３内に持たせてもよいし、図示はしないが制御装置１２に接続されたＲＡＭに持たせてもよい。
【００３８】
このとき、日付に関する選出条件がない場合は（Ｓ３０２：ＮＯ）、選出条件有無フラグに０をセットしてから（Ｓ３１６）、処理を終了する。
また、日付に関する選出条件がある場合は（Ｓ３０２：ＹＥＳ）、選出条件フラグに１をセットする（Ｓ３０３）。具体的には、日付の条件として５月１日〜５月３１日にリクエストした会員の中から選出するように設定されている場合は、選出条件がありなので、選出条件有無フラグに１をセットする。
【００３９】
尚、本実施例では、抽選対象者の条件として日付に関する選出条件があるかを判定しているが、選出条件として一定回数以上のリクエストをした場合を要素としてもよい。
【００４０】
そして、リクエスト受付装置７の制御装置１２は、選出条件がある場合は、ハードディスク装置１３内のリクエスト受付情報ファイルを最後まで検索したか確認し（Ｓ３０４）、ファイル終了でないなら（Ｓ３０４：ＮＯ）、リクエスト受付情報ファイルから会員情報を示す１レコード分のデータを取得し（Ｓ３０５）、取得したリクエスト受付情報レコードのリクエスト日時が条件を満たしているかをチェックする（Ｓ３０６）。
【００４１】
このとき、条件を満たしていない場合は（Ｓ３０６：ＮＯ）、リクエスト受付情報ファイルの検索が全て終了するまで（Ｓ３０４：ＹＥＳ）、リクエスト受付情報ファイルから次の１レコード分の読込みを行う（Ｓ３０５）。
【００４２】
また、条件を満たしている場合は（Ｓ３０６：ＹＥＳ）、ハードディスク装置１３内の抽選対象会員データファイルの中に既にその会員が選出されているか検索し（Ｓ３０７）、既に選出されていれば（Ｓ３０８：ＹＥＳ）、選出条件を満たしていない場合と同様にして、リクエスト受付情報ファイルの検索が全て終了するまで（Ｓ３０４：ＹＥＳ）、リクエスト受付情報ファイルから次の１レコード分の読込みを行う（Ｓ３０５）。
【００４３】
さて、選出条件を満たした新規の抽選対象の会員を検索したときに抽選対象者会員データファイルにその会員が登録されていないときは（Ｓ３０８：ＮＯ）、図５に示した抽選対象会員ファイルの１レコード分のデータを作成する。つまり、抽選対象会員ワークの会員ＩＤデータにリクエスト受付情報ファイルの会員ＩＤをセットし（Ｓ３０９）、会員管理ＤＢファイルより該会員ＩＤの一致する会員管理ＤＢレコードデータを取得し（Ｓ３１０）、抽選対象会員ワークの会員名データに取得した会員管理ＤＢファイルの会員名をセットし（Ｓ３１１）、抽選対象会員ワークの住所データに取得した会員管理ＤＢファイルの住所及び電話番号をセットし（Ｓ３１２）、抽選対象会員ワークの電話番号データに取得した会員管理ＤＢファイルの電話番号をセットする（Ｓ３１３）。これにより、抽選対象会員ファイルの１レコード分のデータを作成することができる。
【００４４】
続いて、対象者数カウンタをインクリメントしてから（Ｓ３１４）、抽選対象会員ファイルに作成した１レコード分のデータを追加してから（Ｓ３１５）、メインルーチンに戻る（Ｓ２０５）。
以上の動作により、特定会員の中から選出条件を満たした特定会員の会員情報からなる抽選対象会員データを作成することができる。
【００４５】
また、図１０は自動抽選処理における抽選対象者選出処理を具体的に示すフローチャートである。この図１０において、リクエスト受付装置７は、当選者数カウンタをクリアし（Ｓ４０１）、選出条件が設定されていたかどうかを判定する（Ｓ４０２）。この場合、カウンタをハードディスク装置１３内に持たせてもよいし、図示はしないが制御装置１２に接続されたＲＡＭに持たせてもよい。
【００４６】
このとき、選出条件が設定されているときは（Ｓ４０２：ＮＯ）、抽選対象者選出処理で作成された抽選対象会員ファイルの中から当選者を選出しなければならないので、選出ファイル名を抽選対象会員ファイルとする（Ｓ４０４）。また、選出条件が設定されていないときは（Ｓ４０２：ＹＥＳ）、抽選の対象者は登録会員全員となるため、選出ファイル名を会員管理ＤＢファイルとする（Ｓ４０３）。つまり、選出条件が設定されているときは、抽選対象会員は選出条件を満たした会員のみとなり、選出条件が設定されていないときは、抽選対象会員は全ての会員となる。
【００４７】
そして、当選者を抽選するために抽選対象者数以下のランダム変数を算出する（Ｓ４０５）。つまり、選出条件が設定されているときは、当選者数として抽選対象者数以下のランダム変数を算出し、選出条件が設定されていないときは、登録会員数以下のランダム変数を算出する。
【００４８】
続いて、選出ファイル（選出条件が設定されているときは抽選対象会員ファイル、選出条件が設定されていないときは会員管理データファイル）の先頭から算出されたランダム変数番目のレコードを読込む（Ｓ４０６）。
【００４９】
このとき、選出ファイルにランダム変数番目の該当レコードが存在しなかった場合は（Ｓ４０７：ＹＥＳ）、当選者数カウンタのカウンタ値が当選者限度数に達していないことを確認してから（Ｓ４１４：ＮＯ）、ランダム変数を再度算出する。
【００５０】
また、選出ファイルに該当レコードが存在して読込めた場合は（Ｓ４０７：ＮＯ）、該当レコードの会員が当選者となり、図６に示す当選会員データファイルの１レコード分を作成する。つまり、当選会員ワークの会員ＩＤデータに取得した選出ファイルレコードの会員ＩＤをセットし（Ｓ４０８）、当選会員ワークの会員名データに取得した選出ファイルレコードの会員名をセットし（Ｓ４０９）、当選会員ワークの住所データに取得した選出ファイルレコードの住所をセットし（Ｓ４１０）、当選会員ワークの電話番号データに取得した選出ファイルレコードの電話番号をセットする（Ｓ４１１）、これにより、当選会員ファイルの１レコード分を作成することができる。
続いて、当選者数カウンタをインクリメントしてから（Ｓ４１２）、当選会員データファイルに作成した１レコード分を追加する（Ｓ４１３）。
【００５１】
そして、上述のようにして当選会員ファイルに１レコード追加したときは、当選者の限度まで当選者を選出したかを判定し（Ｓ４１４）、選出していない場合は（Ｓ４１４：ＮＯ）、ランダム変数の算出を再度行うことにより当選者を選出する。この場合、当選者の限度数については、固定でもいいがＣＡＴＶオペレータにより設定された人数としてもよい。
そして、当選者の限度まで当選者を選出した場合（Ｓ４１４：ＹＥＳ）、前述したメインルーチンに戻る（Ｓ２０７）。
【００５２】
尚、図１０のフローチャートには示していないが、リクエスト受付装置７は、同一の当選者を選択したときは２度目の当選を無効化するようになっている。
【００５３】
上記構成のものによれば、登録会員からのカラオケ曲のリクエストを受付けるためのリクエスト受付装置７に、登録会員の中から選出条件を満たした会員を当選会員として抽選すると共に、当選者に当選したことを報知する機能を付加したので、リクエストされたカラオケ曲を単にカラオケ放送するだけのシステムと違って、娯楽性を高めてＣＡＴＶ加入者及びリクエスト会員の増大を図ることができる。
【００５４】
また、当選者を抽選するための選出条件は任意に変更することができるので、リクエスト状況に応じて選出条件を設定することにより、当選者を多様な方法で適切に抽選することができる。
また、選出条件を設定しないことにより、全ての登録会員を抽選対象として任意に設定することができる。
【００５５】
また、当選会員に当選したことを電話による音声に加えてＣＡＴＶによる映像により報知するようにしたので、当選会員に当選したことを確実に報知することができると共に、ＣＡＴＶ加入者にも当選者を報知することができる。
【００５６】
本発明は上記実施例にのみ限定されるものでなく、次のように変形または拡張することができる。
本発明をカラオケボックスに適用してもよい。この場合、カラオケボックスを利用する会員を予め登録しておき、リクエストした会員が抽選条件を満たしたときに懸賞が当選するようする。
通信回線としては、双方向のＣＡＴＶ、或いは衛星放送、或いはインターネットを利用するようにしてもよい。
【００５７】
【発明の効果】
以上の説明によって明らかなように、本発明の懸賞付きカラオケリクエストシステムによれば、以下の効果を奏する。
請求項１のものによれば、選出条件としてリクエストを受付けた日付を設定可能に設けた上で、選出条件が設定されていない場合は、リクエスト会員情報記憶手段に記憶されている全ての特定会員の中から当選会員を抽選すると共に、選出条件が設定された場合は、リクエスト会員情報記憶手段に記憶されている全ての特定会員の中から当該選出条件を満たしたリクエスト情報に対応する特定会員からなる抽選対象会員ファイルを作成し、当該抽選対象会員ファイルの中から同一の特定会員が２度目の当選となることを無効化しながら当選会員を当選者限度数となるまで繰返して抽選することにより抽選対象会員ファイルを作成するようにしたので、娯楽性を高めて加入者及びリクエスト会員の増大を図ることができ、さらにはリクエストの促進日を任意に設定できると共に、当選者を予め定めた限度数まで重複することなく確実に抽選することができる。
【００５８】
【００５９】
【００６０】
【００６１】
請求項２のものによれば、通信回線を通じて当選会員に当選したことを音声で報知するようにしたので、当選会員に当選したことをオペレータの操作を介することなく報知することができる。
【００６２】
請求項３のものによれば、通信回線を通じて当選会員に当選したことを映像で報知するようにしたので、通信回線による放送の視聴者にも当選会員を報知することができる。
【００６３】
請求項４のものによれば、通信回線をＣＡＴＶ回線としたので、既存のＣＡＴＶ回線を使用することにより、コストを大幅に低減することができる。
【図面の簡単な説明】
【図１】  本発明の一実施例におけるリクエスト受付装置の構成を示す概略図
【図２】  全体の構成を示す概略図
【図３】  会員データベースファイルのフォーマットを示す模式図
【図４】  リクエスト受付情報ファイルのフォーマットを示す模式図
【図５】  抽選対象会員データファイルのフォーマットを示す模式図
【図６】  当選会員データファイルのフォーマットを示す模式図
【図７】  リクエスト受付装置によるリクエスト受付処理を示すフローチャート
【図８】  リクエスト受付装置による自動抽選処理を示すフローチャート
【図９】  リクエスト受付装置による抽選対象者選出処理を示すフローチャート
【図１０】  リクエスト受付装置による当選者選出処理を示すフローチャート
【図１１】  当選者表示画面のフォーマットを示す図
【符号の説明】
５はカラオケ放送制御装置（送信手段）、７はリクエスト受付装置、１０は音声応答装置、１２は制御装置（リクエスト受付手段、抽選手段、当選報知手段、映像報知手段）、１３はハードディスク装置（会員情報記憶手段、リクエスト会員情報記憶手段）である。
【図１】
0003880105.tif 000002
【図２】
0003880105.tif 000003
【図３】
0003880105.tif 000004
【図４】
0003880105.tif 000005
【図５】
0003880105.tif 000006
【図６】
0003880105.tif 000007
【図７】
0003880105.tif 000008
【図８】
0003880105.tif 000009
【図９】
0003880105.tif 000010
【図１０】
0003880105.tif 000011
【図１１】
0003880105.tif 000012